(57)【要約】【課題】端子収容室内に係止された端子を容易に係止解除することができ、しかも、端子が端子収容室内に係止されているか否かを容易に判断することができるコネクタを提供すること。【解決手段】端子収容室１１内に収容された端子７０を係止するように端子７０に対応してコネクタハウジング１０とは別部品として設けられた端子係止部品６０と、端子係止部品６０が、端子収容室１１内に端子７０を挿入可能とする位置であり、かつ、外表面１０ａから端子係止部品６０の一部が突出される端子挿入可能位置Ｐ１と、端子７０を係止する位置であり、かつ、表裏両外表面１０ａ、１０ｂに端子係止部品６０の移動方向両端面６１ｂ、６１ｃが面一となるようにコネクタハウジング１０内に端子係止部品６０が収納される端子係止完了位置Ｐ２と、でスライド移動自在にガイドされる部分である係止部品ガイド部４０と、を有してなる。【選択図】図１
2018206518.tif 000002
【特許請求の範囲】
【請求項１】
コネクタハウジングの端子収容室内に収容された端子を係止するように前記端子に対応して前記コネクタハウジングとは別部品として設けられた端子係止部品と、
前記端子係止部品が、前記端子収容室内に前記端子を挿入可能とする位置であり、かつ、前記コネクタハウジングの外表面から前記端子係止部品の一部が突出される端子挿入可能位置と、前記端子収容室内に前記端子を係止する位置であり、かつ、前記コネクタハウジングの表裏両外表面に前記端子係止部品の移動方向両端面が面一となるように前記コネクタハウジング内に前記端子係止部品が収納される端子係止完了位置と、でスライド移動自在にガイドされる部分であり、前記端子収容室に対応して前記コネクタハウジングに設けられた係止部品ガイド部と、
を有してなることを特徴とするコネクタ。
【請求項２】
前記コネクタハウジングは、
複数設けられた前記端子収容室内に前記端子がそれぞれ収容され、
前記係止部品は、
複数の前記端子収容室内に収容された各端子を係止するように該各端子に対応して複数設けられ、
前記係止部品ガイド部は、
複数の前記端子収容室に対応して前記コネクタハウジングに複数設けられる
ことを特徴とする請求項１に記載のコネクタ。
【請求項３】
前記端子係止部品は、
前記係止部品ガイド部にガイドされる両側面に突設された一対の係止突起と、
前記一対の係止突起が突設された前記両側面の内側に形成されたスリット状の一対の撓み空間と、
を有し、
前記係止部材ガイド部は、
前記端子係止部品の挿入口となる部品挿入口側を上り段状として、前記端子係止部品が前記部品挿入口側に移動されると前記一対の係止突起が引っ掛かることによって前記端子係止部品が前記部品挿入口から前記コネクタハウジング外に離脱されることを阻止する一対の係止段部、
を有し、
前記端子係止部品は、
前記一対の係止突起が突設された前記両側面が内側の前記一対の撓み空間に向けて弾性的に撓むことによって、前記コネクタハウジング外への離脱、および、前記コネクタハウジング内への取り付けが可能である
ことを特徴とする請求項２に記載のコネクタ。
【請求項４】
前記複数の端子係止部品は、
互いに異なる色で色分けされている
ことを特徴とする請求項２に記載のコネクタ。
【請求項５】
前記複数の端子係止部品は、
互いに異なる色で色分けされている
ことを特徴とする請求項３に記載のコネクタ。
【請求項６】
前記一対の係止段部は、
前記端子係止部品が前記部品挿入口側に移動されて前記一対の係止突起が突き当てられた位置が前記端子挿入可能位置となるように設けられる
ことを特徴とする請求項３または５に記載のコネクタ。
【請求項７】
前記端子は、
相手端子との接続部分および該接続部分の周辺部分が断面円形状をなし、かつ、断面円形状の外周面に沿って突出された円状のフランジ部を有し、
前記端子係止部品は、
板状の本体部と、前記フランジ部の外周面に沿う円状の孔内縁面が形成され、かつ、前記本体部を貫通するように形成された端子挿通用貫通孔部と、前記フランジ部の近傍の前記端子の外周面に沿う円状に孔内縁面が形成され、かつ、前記端子挿通用貫通孔部に一部が重なる位置で前記本体部を貫通するように形成され、かつ、前記端子挿通用貫通孔部より小径の端子係止用貫通孔部と、
を有してなり、
前記端子収容室は、
前記端子が挿入完了された位置で前記フランジ部が突き当てられる突き当て壁が設けられ、
前記端子係止部品が前記端子挿入可能位置にある場合、前記端子挿通用貫通孔部の孔内縁面が前記端子を前記フランジ部が前記突き当て壁に突き当てられる位置までガイドする壁の一部となり、前記端子係止部品が前記端子係止完了位置にある場合、前記端子係止用貫通孔部の孔内縁面が前記フランジ部より前記端子収容室の端子挿入側で前記端子の外周面に沿って嵌め込まれる
ことを特徴とする請求項１、２、３、４、５、または６に記載のコネクタ。
【請求項８】
前記端子係止部品は、
当該端子係止部品を前記係止部品ガイド部へ挿入するため押圧操作をする側の端面に面一になるように挿入方向に直交方向に迫り出した部分であり、前記コネクタハウジングの挿入側の外表面に対して裏側の外表面の前記係止部品ガイド部の開口から当該端子係止部品が離脱されることを阻止するストッパ部
を有してなることを特徴とする請求項１、２、３、４、５、６、または７に記載のコネクタ。
【請求項９】
前記端子係止部品は、
前記係止部品ガイド部にガイドされる両側面に突設され、スライド移動される際の滑り止めとして機能される一対の滑り止め突起
を有してなることを特徴とする請求項１、２、３、４、５、６、７、または８に記載のコネクタ。
【発明の詳細な説明】
【技術分野】
【０００１】
本発明は、コネクタハウジングの端子収容室内に収容された端子を係止するコネクタに関する。
【背景技術】
【０００２】
従来、通信機器の電線ケーブルを接続するためのコネクタは、端子をコネクタハウジングの端子収容室内に係止することによって端子収容室から端子が離脱しないようになっている。
【０００３】
例えば、特許文献１には、コネクタハウジングに複数の端子収容室が設けられ、各端子収容室内に設けられた弾性係止片によって端子を係止するコネクタが記載されている。
【先行技術文献】
【特許文献】
【０００４】
【特許文献１】特許第２８０７２５２号
【発明の概要】
【発明が解決しようとする課題】
【０００５】
しかしながら、特許文献１に記載されたコネクタは、治具を用いて各端子収容室内に設けられた弾性接触片の係止を解除する必要があるため、端子収容室内に係止された端子の係止解除作業が煩雑であり、しかも、端子収容室内に端子が確実に係止されているかどうかを判断することが難しいという問題があった。
【０００６】
本発明は、上記に鑑みてなされたものであって、端子収容室内に係止された端子を容易に係止解除することができ、しかも、端子が端子収容室内に係止されているか否かを容易に判断することができるコネクタを提供することを目的とする。
【課題を解決するための手段】
【０００７】
上述した課題を解決し、目的を達成するために、本発明の請求項１に係るコネクタは、コネクタハウジングの端子収容室内に収容された端子を係止するように前記端子に対応して前記コネクタハウジングとは別部品として設けられた端子係止部品と、前記端子係止部品が、前記端子収容室内に前記端子を挿入可能とする位置であり、かつ、前記コネクタハウジングの外表面から前記端子係止部品の一部が突出される端子挿入可能位置と、前記端子収容室内に前記端子を係止する位置であり、かつ、前記コネクタハウジングの表裏両外表面に前記端子係止部品の移動方向両端面が面一となるように前記コネクタハウジング内に前記端子係止部品が収納される端子係止完了位置と、でスライド移動自在にガイドされる部分であり、前記端子収容室に対応して前記コネクタハウジングに設けられた係止部品ガイド部と、を有してなることを特徴とする。
【０００８】
また、本発明の請求項２に係るコネクタは、上記の発明において、前記コネクタハウジングが、複数設けられた前記端子収容室内に前記端子がそれぞれ収容され、前記係止部品は、複数の前記端子収容室内に収容された各端子を係止するように該各端子に対応して複数設けられ、前記係止部品ガイド部は、複数の前記端子収容室に対応して前記コネクタハウジングに複数設けられることを特徴とする。
【０００９】
また、本発明の請求項３に係るコネクタは、上記の発明において、前記端子係止部品は、前記係止部品ガイド部にガイドされる両側面に突設された一対の係止突起と、前記一対の係止突起が突設された前記両側面の内側に形成されたスリット状の一対の撓み空間と、を有し、前記係止部材ガイド部は、前記端子係止部品の挿入口となる部品挿入口側を上り段状として、前記端子係止部品が前記部品挿入口側に移動されると前記一対の係止突起が引っ掛かることによって前記端子係止部品が前記部品挿入口から前記コネクタハウジング外に離脱されることを阻止する一対の係止段部、を有し、前記端子係止部品は、前記一対の係止突起が突設された前記両側面が内側の前記一対の撓み空間に向けて弾性的に撓むことによって、前記コネクタハウジング外への離脱、および、前記コネクタハウジング内への取り付けが可能であることを特徴とする。
【００１０】
また、本発明の請求項４に係るコネクタは、上記の発明において、前記複数の端子係止部品が、互いに異なる色で色分けされていることを特徴とする。
【００１１】
また、本発明の請求項５に係るコネクタは、上記の発明において、前記複数の端子係止部品が、互いに異なる色で色分けされていることを特徴とする。
【００１２】
また、本発明の請求項６に係るコネクタは、上記の発明において、前記一対の係止段部が、前記端子係止部品が前記部品挿入口側に移動されて前記一対の係止突起が突き当てられた位置が前記端子挿入可能位置となるように設けられることを特徴とする。
【００１３】
また、本発明の請求項７に係るコネクタは、上記の発明において、前記端子が、相手端子との接続部分および該接続部分の周辺部分が断面円形状をなし、かつ、断面円形状の外周面に沿って突出された円状のフランジ部を有し、前記端子係止部品が、板状の本体部と、前記フランジ部の外周面に沿う円状の孔内縁面が形成され、かつ、前記本体部を貫通するように形成された端子挿通用貫通孔部と、前記フランジ部の近傍の前記端子の外周面に沿う円状に孔内縁面が形成され、かつ、前記端子挿通用貫通孔部に一部が重なる位置で前記本体部を貫通するように形成され、かつ、前記端子挿通用貫通孔部より小径の端子係止用貫通孔部と、を有してなり、前記端子収容室が、前記端子が挿入完了された位置で前記フランジ部が突き当てられる突き当て壁が設けられ、前記端子係止部品が前記端子挿入可能位置にある場合、前記端子挿通用貫通孔部の孔内縁面が前記端子を前記フランジ部が前記突き当て壁に突き当てられる位置までガイドする壁の一部となり、前記端子係止部品が前記端子係止完了位置にある場合、前記端子係止用貫通孔部の孔内縁面が前記フランジ部より前記端子収容室の端子挿入側で前記端子の外周面に沿って嵌め込まれることを特徴とする。
【００１４】
また、本発明の請求項８に係るコネクタは、上記の発明において、前記端子係止部品は、当該端子係止部品を前記係止部品ガイド部へ挿入するため押圧操作をする側の端面に面一になるように挿入方向に直交方向に迫り出した部分であり、前記コネクタハウジングの挿入側の外表面に対して裏側の外表面の前記係止部品ガイド部の開口から当該端子係止部品が離脱されることを阻止するストッパ部を有してなることを特徴とする。
【００１５】
また、本発明の請求項９に係るコネクタは、上記の発明において、前記端子係止部品は、前記係止部品ガイド部にガイドされる両側面に突設され、スライド移動される際の滑り止めとして機能される一対の滑り止め突起を有してなることを特徴とする。
【発明の効果】
【００１６】
本発明の請求項１に係るコネクタは、前記端子係止部品が前記端子係止完了位置にある場合、前記コネクタハウジングの表裏両外表面に前記端子係止部品の移動方向両端面が面一となるように前記コネクタハウジング内に前記端子係止部品が収納される。このため、前記端子挿入可能位置にスライド移動されるように前記端子係止部品の一端面を指で押圧することによって、前記外表面から突出されるように押し出された前記端子係止部品の一部を摘まんで前記端子係止部品を前記端子挿入可能位置まで引っ張り出すことができる。これによって、前記端子係止部品による前記端子の係止を解除することができ、しかも、前記コネクタハウジングの外表面から前記端子係止部品の一部が突出されている場合、前記端子係止部品が前記端子係止完了位置にないと判断できるので、端子収容室内に係止された端子を容易に係止解除することができ、しかも、端子が端子収容室内に係止されているか否かを容易に判断することができる。
【００１７】
本発明の請求項２に係るコネクタは、前記端子係止部品が前記端子係止完了位置にある場合、前記コネクタハウジングの表裏両外表面に前記端子係止部品の移動方向両端面が面一となるように前記コネクタハウジング内に前記端子係止部品が収納される。このため、前記端子挿入可能位置にスライド移動されるように前記端子係止部品の一端面を指で押圧することによって、前記外表面から突出されるように押し出された前記端子係止部品の一部を摘まんで前記端子係止部品を前記端子挿入可能位置まで引っ張り出すことができる。これによって、前記端子係止部品による前記端子の係止を解除することができ、しかも、前記コネクタハウジングの外表面から前記端子係止部品の一部が突出されている場合、前記端子係止部品が前記端子係止完了位置にないと判断できるので、端子収容室内に係止された端子を容易に係止解除することができ、しかも、端子が複数の端子収容室内に係止されているか否かを容易に判断することができる。
【００１８】
本発明の請求項３に係るコネクタは、前記端子係止部品が、前記一対の係止突起が突設された前記両側面が内側の前記一対の撓み空間に向けて弾性的に撓むことによって、前記コネクタハウジング外への離脱、および、前記コネクタハウジング内への取り付けが可能であるので、前記端子係止部品を前記コネクタハウジング外に容易に離脱することができるとともに、前記コネクタハウジング内へ容易に取り付けることができる。
【００１９】
本発明の請求項４に係るコネクタは、前記複数の端子係止部品が、互いに異なる色で色分けされているので、前記端子についてもそれに対応した色を着色しておくことによって、前記端子を間違えることなく対応する前記端子収容室にセットすることができ、しかも、前記端子係止部品が前記端子挿入可能位置に配置され、前記コネクタハウジングの外表面から突出された前記端子係止部品の一部によって、前記端子係止部品の色をより目視し易くすることができる。
【００２０】
本発明の請求項５に係るコネクタは、一対の係止突起が突設された前記両側面が内側の前記一対の撓み空間に向けて弾性的に撓むことによって、前記コネクタハウジング外への離脱、および、前記コネクタハウジング内への取り付けが可能であるので、前記端子係止部品を前記コネクタハウジング外に容易に離脱することができるとともに、前記端子係止部品を前記コネクタハウジング内へ容易に取り付けることができる。また、コネクタは、前記複数の端子係止部品が、互いに異なる色で色分けされているので、前記端子についてもそれに対応した色を着色しておくことによって、前記端子を間違えることなく対応する前記端子収容室にセットすることができ、しかも、前記端子係止部品が前記端子挿入可能位置に配置され、前記コネクタハウジングの外表面から突出された前記端子係止部品の一部によって、より前記端子係止部品の色を目視し易くすることができる。しかも、前記コネクタは、前記コネクタハウジングにセットされる前記端子係止部品を別の色の前記端子係止部品に容易に交換することができるので、仕様に応じた複数の異なる色の前記端子係止部品に容易に変更することができる。
【００２１】
本発明の請求項６に係るコネクタは、前記一対の係止段部が、前記端子係止部品が前記部品挿入口側に移動されて前記一対の係止突起が突き当てられるので、前記端子係止部品を前記端子挿入可能位置に容易に移動配置することができる。
【００２２】
本発明の請求項７に係るコネクタは、前記端子係止部品が前記端子係止完了位置にある場合、板状の前記本体部に貫通するように形成された前記端子係止用貫通孔部の孔内縁面が前記フランジ部より前記端子収容室の端子挿入口側で前記端子の外周面に沿って嵌め込まれるので、前記端子が前記端子係止部品によって回転可能に係止される。また、前記端子係止部品が前記端子の外周面に沿った広い部分で前記端子を係止することができるので、前記端子係止部品の係止部分の剛性を高めて前記端子を係止することができる。
【００２３】
本発明の請求項８に係るコネクタは、前記ストッパ部によって、前記コネクタハウジングの前記端子係止部品を挿入する側の外表面に対して裏側の外表面の前記係止部品ガイド部の開口から前記端子係止部品が離脱されることを阻止することができる。
【００２４】
本発明の請求項９に係るコネクタは、前記端子係止部品が、前記係止部品ガイド部にガイドされる両側面に突設され、スライド移動される際の滑り止めとして機能される一対の滑り止め突起を有してなるので、前記端子係止部品を前記係止部品ガイド部内でスライド移動させる際に滑り過ぎずに適当な摩擦抵抗が得られるように設定することができる。
【図面の簡単な説明】
【００２５】
【図１】図１は、本発明の実施例に係るコネクタと接続相手となる相手コネクタとを示した図である。
【図２】図２は、（ａ）が図１に示したコネクタの各端子係止部品が端子挿入可能位置にある状態を示した図であり、（ｂ）がコネクタの各端子係止部品が端子係止完了位置にある状態を示した図である。なお、図２では、コネクタハウジングを仮想線図で示し、端子収容室内での端子と端子係止部品との位置関係を目視し易いように示している。
【図３】図３は、（ａ）が各端子係止部品が端子係止完了位置にある状態をコネクタハウジングの表裏の関係にある一方の外表面側から視た斜視図であり、（ｂ）が各端子係止部品が端子挿入可能位置にある状態をコネクタハウジングの他方の外表面側から視た斜視図である。
【図４】図４は、（ａ）がコネクタハウジングを端子挿入口側から視た図であり、（ｂ）がコネクタハウジングを端子係止部品の挿入口側から視た図である。
【図５】図５は、図４（ａ）に示したコネクタハウジングのＡ−Ａ線断面図であり、各端子が端子収容室に収容された状態を示した図である。
【図６】図６は、図４（ｂ）に示したコネクタハウジングのＢ−Ｂ線断面図であり、端子係止部品を仮想線図で示した図である。
【図７】図７は、（ａ）が端子係止部品の正面図であり、（ｂ）が端子係止部品の側面図であり、（ｃ）が端子係止部品の上面図である。
【図８】図８は、コネクタハウジングの各端子収容室に端子をセットする手順を示した図である。
【図９】図９は、コネクタハウジングの各端子収容室内に端子係止部品によって係止された端子を離脱する手順を示した図である。
【図１０】図１０は、係止部品ガイド部内に係止された端子係止部品をコネクタハウジング外に離脱させる手順、および、各部の作用について示した図である。
【図１１】図１１は、変形例の端子係止部品の正面図である。
【発明を実施するための形態】
【００２６】
以下、図面を参照して、本発明に係るコネクタの好適な実施例を詳細に説明する。
【実施例】
【００２７】
図１は、本発明の実施例に係るコネクタ１と接続相手となる相手コネクタ１００とを示した図である。図２は、（ａ）が図１に示したコネクタ１の各端子係止部品６０が端子挿入可能位置Ｐ１にある状態を示した図であり、（ｂ）がコネクタ１の各端子係止部品６０が端子係止完了位置Ｐ２にある状態を示した図である。なお、図２では、コネクタハウジング１０を仮想線図で示し、端子収容室１１内での端子７０と端子係止部品６０との位置関係を目視し易いように示している。図３は、（ａ）が各端子係止部品６０が端子係止完了位置Ｐ２にある状態をコネクタハウジング１０の表裏の関係にある一方の外表面１０ａ側から視た斜視図であり、（ｂ）が各端子係止部品６０が端子挿入可能位置Ｐ１にある状態をコネクタハウジング１０の他方の外表面１０ｂ側から視た斜視図である。図４は、（ａ）がコネクタハウジング１０を端子挿入口３１側から視た図であり、（ｂ）がコネクタハウジング１０を端子係止部品６０の部品挿入口４０ａ側から視た図である。図５は、図４（ａ）に示したコネクタハウジング１０のＡ−Ａ線断面図であり、各端子７０が端子収容室１１に収容された状態を示した図である。図６は、図４（ｂ）に示したコネクタハウジング１０のＢ−Ｂ線断面図であり、端子係止部品６０を仮想線図で示した図である。図７は、（ａ）が端子係止部品６０の正面図であり、（ｂ）が端子係止部品６０の側面図であり、（ｃ）が端子係止部品６０の上面図である。
本発明の実施例に係るコネクタ１は、例えば、電気通信機器の接続部分に用いられるものである。
【００２８】
このコネクタ１は、コネクタハウジング１０の３つの端子収容室１１内に収容された各端子７０を係止するように各端子７０に対応してコネクタハウジング１０とは別部品として設けられた３つの端子係止部品６０と、各端子係止部品６０が端子挿入可能位置Ｐ１と端子係止完了位置Ｐ２とでスライド移動自在にガイドされる部分であり、３つの端子収容室１１に対応してコネクタハウジング１０に設けられた３つの係止部品ガイド部４０と、有してなる。
【００２９】
まず、端子７０について説明する。
端子７０は、いわゆるピン端子と称されるものであり、図１に示すように、相手端子１１０との接続部分となる相手端子接続部７１と、フランジ部７２と、を有し、電線Ｗの端末部に取り付けられている。
【００３０】
相手端子接続部７１は、ピン状をなし、相手端子１１０の筒状の接続部分に挿入されることによって相手端子１１０に接続される。
【００３１】
端子７０は、相手端子接続部７１および相手端子接続部７１の周辺部分が断面円形状をなし、かつ、断面円形状の外周に沿って円状のフランジ部７２が突設されている。
【００３２】
次に、コネクタハウジング１０について説明する。
コネクタハウジング１０は、絶縁樹脂材からなるブロック状をなし、内部に３つの端子収容室１１が設けられている。
このコネクタハウジング１０は、嵌合方向前端部を含んで相手コネクタ１００と嵌合される部分となるコネクタ嵌合部２０と、嵌合方向後端側を含んで３つの端子収容室１１の大部分を構成する端子収容本体部３０と、相手コネクタ１００との嵌合状態を固定する一対の嵌合ロック部５０と、を有してなる。
【００３３】
コネクタ嵌合部２０は、端子収容本体部３０の端子挿入口３１から端子７０の挿入方向に連続された端子収容室１１の一部を構成する３つの筒状隔壁２１を有し、各筒状隔壁２１の内部に相手端子接続部７１の先端を嵌合方向に向けた状態、かつ、相手端子接続部７１を絶縁隔離した状態で端子７０が保持されるようになっている。
【００３４】
このコネクタ嵌合部２０は、３つ並んだ筒状隔壁２１の基端部が相手コネクタ１００の嵌合口１００ａの内縁面に沿った楕円形状をなし、相手コネクタ１００と密接された嵌合がなされるようになっている。
【００３５】
端子収容本体部３０は、外郭矩形状のブロックの端面に各端子収容室１１に向けて端子７０を挿入する部分となる３つの端子挿入口３１が形成されている。
【００３６】
各端子収容室１１は、端子７０が挿入完了された位置でフランジ部７２が突き当てられる突き当て壁１１ａが設けられている。
この突き当て壁１１ａは、端子７０の相手端子接続部７１が貫通される貫通孔１１ａａが形成されており、この貫通孔１１ａａに挿通された相手端子接続部７１が筒状隔壁２１の内部で嵌合方向に先端を向けて突出されるようになっている。
【００３７】
また、端子収容本体部３０は、３つの端子収容室１１に対応して３つの係止部品ガイド部４０が設けられている。
【００３８】
係止部品ガイド部４０は、端子係止部品６０が、端子収容室１１内に端子７０を挿入可能とする位置であり、かつ、コネクタハウジング１０の外表面１０ａから端子係止部品６０の一部が突出される端子挿入可能位置Ｐ１と、端子収容室１１内に端子７０を係止する位置であり、かつ、コネクタハウジング１０の表裏両外表面１０ａ、１０ｂに端子係止部品６０の移動方向両端面６１ｂ、６１ｃが面一となるようにコネクタハウジング１０内に端子係止部品６０が収納される端子係止完了位置Ｐ２と、でスライド移動自在にガイドされる部分である。
【００３９】
この係止部品ガイド部４０は、突き当て壁１１ａに突き当てられた端子７０のフランジ部７２を間にして端子係止部品６０が突き当て壁１１ａに対向配置されるように端子係止部品６０をコネクタハウジング１０内にガイドする部分である。
【００４０】
より具体的には、係止部品ガイド部４０は、端子収容本体部３０の表裏の関係にある一方の外表面１０ａに設けられた端子係止部品６０の挿入口となる部品挿入口４０ａから他方の外表面１０ｂに向けて端子係止部品６０の横断面形状に対応した形状で端子収容室１１を端子の挿入方向に直交する方向で横切るように形成されたガイド孔である。
【００４１】
また、係止部品ガイド部４０は、端子係止部品６０の部品挿入口４０ａ側を上り段状として、端子係止部品６０が部品挿入口４０ａ方向に移動されると後述する一対の係止突起６５、６５が引っ掛かることによって端子係止部品６０が部品挿入口４０ａからコネクタハウジング１０外に離脱されることを阻止する一対の係止段部４１、４１を有する。
【００４２】
この一対の係止段部４１、４１は、端子係止部品６０の両側面６１ａ、６１ａをガイドする面となり、係止部品ガイド部４０内に挿入された端子係止部品６０を間にして対向配置される一対のガイド面４２、４２に形成されている。
【００４３】
また、一対の係止段部４１、４１は、端子係止部品６０が部品挿入口４０ａ方向に移動されて一対の係止突起６５、６５が突き当てられた位置が端子挿入可能位置Ｐ２となるように設けられている。
【００４４】
嵌合ロック部５０は、端子収容本体部３０の両側面に設けられ、後述するロック突起部５１ｂが相手コネクタ１００のロック孔１００ｂに係合されることによって、コネクタ１を相手コネクタ１００と嵌合された状態でロックするものである。
【００４５】
この嵌合ロック部５０は、弾性的に撓み変形可能な弾性ロック片部５１と、弾性ロック片部５１を保護するロック保護壁部５２と、を有してなる。
【００４６】
弾性ロック片部５１は、端子収容本体部３０の側面に立設された固定端から自由端となる先端を嵌合方向前方に向けて屈曲された片状部分である弾性片部５１ａと、弾性片部５１ａの先端部に突設されたロック突起部５１ｂと、を有してなる。
【００４７】
弾性片部５１ａは、固定端から先端に向けて延びる部分が嵌合方向に沿って略真直ぐに延びた状態が中立姿勢になっている。
【００４８】
ロック突起部５１ｂは、弾性片部５１ａの前端から後端に向けた方向で上り傾斜状となるテーパ面５１ｂｂが形成されている。
【００４９】
ロック保護壁部５２は、弾性ロック片部５１のロック突起部５１ｂが設けられた端部周辺領域が露出されるように弾性ロック片部５１の端部周辺領域以外を囲う壁である。
【００５０】
次に、端子係止部品６０について説明する。
なお、３つの端子係止部品６０は、互いに異なる色で色分けされていることを除けば同一の部品である。
【００５１】
端子係止部品６０は、絶縁樹脂材からなり、外郭が略矩形状の板状部品である。
この端子係止部品６０は、板状の本体部６１と、端子７０のフランジ部７２の外周面７２ａに沿う円状に孔内縁面６２ａが形成され、かつ、本体部６１を貫通するように形成された端子挿通用貫通孔部６２と、フランジ部７２の近傍の端子７０の外周面７３ａに沿う円状に孔内縁面６３ａが形成され、かつ、端子挿通用貫通孔部６２に一部が重なる位置で本体部６１を貫通するように形成され、かつ、端子挿通用貫通孔部６２より小径の端子係止用貫通孔部６３と、を有してなる。
【００５２】
端子挿通用貫通孔部６２と端子係止用貫通孔部６３とは、互いの中心が端子係止部品６０の係止部品ガイド部４０によるガイド移動方向で一直線状に並ぶように一部を重ねて配置されている。このため、端子挿通用貫通孔部６２と端子係止用貫通孔部６３とを合わせた孔がだるま形状をなして本体部６１を貫通するようになっている。
【００５３】
また、端子係止部品６０は、係止部品ガイド部４０にガイドされる本体部６１の両側面６１ａ、６１ａに突設された一対の係止突起６５、６５と、一対の係止突起６５、６５が突設された両側面の内側に形成されたスリット状の一対の撓み空間６４、６４と、端子係止部品６０を端子係止完了位置Ｐ２に向けて移動させた際に突き当てて停止させる部分となるストッパ部６６と、スライド移動される際の滑り止めとして機能される一対の滑り止め突起６７、６７と、を有してなる。
【００５４】
各撓み空間６４は、係止突起６５が突設された本体部６１の側面６１ａを弾性的に内側に撓ませることができるように、係止突起６５が突設された側面６１ａから本体部６１の僅か内方位置に形成されている。
撓み空間６４は、端子挿通用貫通孔部６２よりも小径の端子係止用貫通孔部６３の両脇に形成されることによって、本体部６１の板状部分が広がる領域に配置されており、撓み空間６４が形成されることによっても端子係止部品６０の剛性を確保できるようになっている。
【００５５】
各係止突起６５は、係止部品ガイド部４０への挿入方向に向けて下り傾斜状にテーパ面６５ａが形成されている。
【００５６】
ストッパ部６６は、端子係止部品６０を係止部品ガイド部４０の端子挿入可能位置Ｐ１から端子係止完了位置Ｐ２に向けて移動させた際、端子係止完了位置Ｐ２にて端子係止部品６０が端子収容本体部３０の外面に突き当てられることによって、端子係止完了位置Ｐ２に位置決めさせる部分である。
また、ストッパ部６６は、部品挿入口４０ａが設けられたコネクタハウジング１０の外表面１０ａに対して裏側の外表面１０ｂの開口４０ｂから端子係止部品６０が離脱されることを阻止する部分としても機能している。
【００５７】
このストッパ部６６は、端子係止部品６０を係止部品ガイド部４０へ挿入するため押圧操作をする側の本体部６１の端面６１ｂに面一になるように本体部６１から端子係止部品６０の挿入方向に直交方向に迫り出した部分である。
【００５８】
ストッパ部６６は、端子収容本体部３０の外面にストッパ部６６に対応して形成された凹状の突き当て凹部３２の底面３２ａに突き当てられることによって、コネクタハウジング１０の外表面１０ａに面一となるようになっている。
【００５９】
一対の滑り止め突起６７、６７は、端子係止部品６０の本体部６１の両側面６１ａから半球状に突出された部分であり、その突出量が端子係止部品６０を係止部品ガイド部４０内でスライド移動させる際に滑り過ぎずに適当な摩擦抵抗が得られるように設定されている。
また、各滑り止め突起６７は、同一の側面６１ａ上に設けられた係止突起６５に対して間隔をあけて設けられているので、端子係止部品６０の両側面にバランス良く突起が配置されている。このため、端子係止部品６０は、係止部品ガイド部４０内をガタツキなくスムーズにスライド移動することができるようになっている。
【００６０】
このような端子係止部品６０は、一対の係止突起６５、６５が突設された両側面６１ａ、６１ａが内側の一対の撓み空間６４、６４に向けて弾性的に撓むことによって、コネクタハウジング１０外への離脱、および、コネクタハウジング１０内への取り付けが可能である。
より具体的には、端子係止部品６０は、一対の係止突起６５、６５が設けられた両側面６１ａ、６１ａを内側の一対の撓み空間６４、６４に向けて弾性的に撓ませることによって、一対の係止突起６５、６５が一対の係止段部４１、４１に引っ掛かからずにコネクタハウジング１０外に離脱可能になっている。
【００６１】
また、端子係止部品６０は、部品挿入口４０ａから係止部品ガイド部４０内に押し込むことによって、一対の係止突起６５、６５が一対のガイド面４２に摺接されながら、かつ、一対の係止突起６５、６５が設けられた両側面６１ａ、６１ａを内側の一対の撓み空間６４、６４に向けて弾性的に撓ませながら、一対の係止段部４１、４１の奥側位置に移動される。
このようにして一対の係止段部４１、４１の奥側位置に移動された端子係止部品６０は、一対の係止突起６５、６５が一対と係止段部４１、４１に係止される位置に弾性復元されることによって、係止部品ガイド部４０に取付け完了される。
【００６２】
次に、図８および上述した図を用いてコネクタハウジング１０の各端子収容室１１に端子７０をセットする手順、および、各部の作用について説明する。
図８は、コネクタハウジング１０の各端子収容室１１に端子７０をセットする手順を示した図である。
【００６３】
まず、作業者は、図８（ａ）に示すように、３つの端子係止部品６０の全てを端子挿入可能位置Ｐ１に配置させる。
この作業では、各端子係止部品６０の一対の係止突起６５、６５が係止部品ガイド部４０の一対の係止段部４１、４１に引っ掛かる位置が端子挿入可能位置Ｐ１になっているため、端子係止部品６０を容易に端子挿入可能位置Ｐ１に配置させることができる。
また、各端子係止部品６０を端子挿入可能位置Ｐ１に配置させることによって、各端子係止部品６０は、コネクタハウジング１０の外表面１０ａから一部が突出された状態になっている。
また、各端子係止部品６０を端子挿入可能位置Ｐ１に配置させることによって、端子係止部品６０によって各端子収容室１１内への挿入経路が妨げられることなく端子７０をフランジ部７２が突き当て壁１１ａに突き当てられる位置まで挿入することができるようになっている。
【００６４】
次に、作業者は、図８（ｂ）に示すように、端子７０を一つずつ対応する端子収容室１１内に挿入し、端子挿入可能位置Ｐ１の端子係止部品６０を端子係止完了位置Ｐ２まで押し込む。
ここで、作業者は、端子係止部品６０のストッパ部６６が突き当て凹部３２の底面３２ａに突き当てられ、コネクタハウジング１０の外表面１０ａに面一になることによって端子係止部品６０が端子係止完了位置Ｐ２まで移動完了されたことを確認することができる。
【００６５】
また、３つの端子係止部品６０が互いに異なる色に色分けされているため、端子７０についてもそれに対応した色を着色しておくことによって、端子７０を間違えることなく対応する端子収容室１１にセットすることができる。
【００６６】
しかも、端子挿入可能位置Ｐ１に配置された端子係止部品６０は、コネクタハウジング１０の外表面１０ａから一部が突出された状態になっているので、端子係止部品６０の色が目視確認し易いようになっている。
【００６７】
図８（ｃ）に示すように、全ての端子７０が端子収容室１１内で端子係止部品６０によって係止完了されると、全ての端子係止部品６０が端子係止完了位置Ｐ２に配置されるため、コネクタハウジング１０の表裏両外表面１０ａ、１０ｂに端子係止部品６０の移動方向両端面６１ｂ、６１ｃが面一となる（図３参照）。
このため、作業者は、コネクタハウジング１０の外表面１０ａから突出されている端子係止部品６０が発見された場合には、その端子係止部品６０によって端子７０が係止されていないことを容易に見極めることができる。
【００６８】
次に、図９および上述した図を用いてコネクタハウジング１０の各端子収容室１１内に端子係止部品６０によって係止された端子７０を離脱する手順、および、各部の作用について説明する。
図９は、コネクタハウジング１０の各端子収容室１１内に端子係止部品６０によって係止された端子７０を離脱する手順を示した図である。
【００６９】
まず、作業者は、図９（ａ）に示すように、部品挿入口４０ａ側に対して裏側のコネクタハウジング１０の外表面１０ｂに面一になっている端子係止部品６０の端面６１ｃを指で押圧する。
ここで、端子係止部品６０の端面６１ｃがコネクタハウジング１０の外表面１０ｂに面一になっているため、作業者は容易に端子係止部品６０の端面６１ｃを押し込むことができる。
【００７０】
このように端子係止部品６０の端面６１ｃを押圧することによって、図９（ｂ）に示すように、コネクタハウジング１０の部品挿入口４０ａ側の外表面１０ａから端子係止部品６０の一部が押し出される。
【００７１】
次に、作業者は、図９（ｃ）に示すように、コネクタハウジング１０の外表面１０ａに押し出された端子係止部品６０の一部を摘まんで、端子係止部品６０を端子挿入可能位置Ｐ１まで引っ張り出し、係止が解除された端子７０をコネクタハウジング１０外に離脱させる。
【００７２】
次に、図１０を用いて係止部品ガイド部４０内に係止された端子係止部品６０をコネクタハウジング１０外に離脱させる手順、および、各部の作用について説明する。
図１０は、係止部品ガイド部４０内に係止された端子係止部品６０をコネクタハウジング１０外に離脱させる手順、および、各部の作用について示した図である。
なお、端子係止部品６０をコネクタハウジング１０外に離脱させる手順を行う際、端子収容室１１から端子７０を離脱した状態にしておく。
【００７３】
まず、作業者は、図１０（ａ）に示すように、離脱したい端子係止部品６０を端子挿入可能位置Ｐ１に配置する。
これにより端子係止部品６０の一部がコネクタハウジング１０の外表面１０ａから突出され、一対の係止突起６５、６５周辺の両側面６１ａ、６１ａが露出される。
【００７４】
次に、作業者は、図１０（ｂ）に示すように、端子係止部品６０の一対の係止突起６５、６５周辺の両側面６１ａ、６１ａを内側に押圧することによって、一対の係止突起６５、６５が突設された両側面６１ａ、６１ａを各撓み空間６４、６４を利用して内側に撓ませつつ、端子係止部品６０をコネクタハウジング１０から離脱させる方向に向けて引っ張る。
これにより、端子係止部品６０は、一対の係止突起６５、６５が各係止段部４１、４１に引っ掛からない状態で離脱方向に向けて移動され、図１０（ｃ）に示すように、コネクタハウジング１０から離脱される。
【００７５】
なお、コネクタハウジング１０から離脱された端子係止部品６０は、段落００５１に記載したように部品挿入口４０ａから係止部品ガイド部４０内に押し込むことによって、容易に取り付けることができる。
【００７６】
本発明の実施例に係るコネクタ１は、端子係止部品６０が端子係止完了位置Ｐ２にある場合、コネクタハウジング１０の表裏両外表面１０ａ、１０ｂに端子係止部品６０の移動方向両端面６１ｂ、６１ｃが面一となるようにコネクタハウジング１０内に端子係止部品６０が収納される。このため、端子挿入可能位置Ｐ１にスライド移動されるように端子係止部品６０の一端面を指で押圧することによって、外表面１０ａから突出されるように押し出された端子係止部品６０の一部を摘まんで端子係止部品６０を端子挿入可能位置Ｐ１まで引っ張り出すことができる。これによって、端子係止部品６０による端子７０の係止を解除することができ、しかも、コネクタハウジング１０の外表面１０ａから端子係止部品６０の一部が突出されている場合、端子係止部品６０が端子係止完了位置Ｐ２にないと判断できるので、端子収容室１１内に係止された端子７０を容易に係止解除することができ、しかも、端子７０が複数の端子収容室１１内に係止されているか否かを容易に判断することができる。
【００７７】
また、本発明の実施例に係るコネクタ１は、端子係止部品６０が、一対の係止突起６５、６５が突設された両側面６１ａ、６１ａが内側の一対の撓み空間６４、６４に向けて弾性的に撓むことによって、コネクタハウジング１０外への離脱、および、コネクタハウジング１０内への取り付けが可能であるので、端子係止部品６０をコネクタハウジング１０外に容易に離脱することができるとともに、コネクタハウジング１０内へ容易に取り付けることができる。
【００７８】
また、本発明の実施例に係るコネクタ１は、３つの端子係止部品６０が、互いに異なる色で色分けされているので、端子７０についてもそれに対応した色を着色しておくことによって、端子７０を間違えることなく対応する端子収容室１１にセットすることができ、しかも、端子係止部品６０が端子挿入可能位置Ｐ１に配置され、コネクタハウジング１０の外表面１０ａから突出された端子係止部品６０の一部によって、端子係止部品６０の色をより目視し易くすることができる。
【００７９】
また、本発明の実施例に係るコネクタ１は、一対の係止突起６５、６５が突設された両側面６１ａ、６１ａが内側の一対の撓み空間６４、６４に向けて弾性的に撓むことによって、コネクタハウジング１０外への離脱、および、コネクタハウジング１０内への取り付けが可能であるので、端子係止部品６０をコネクタハウジング１０外に容易に離脱することができるとともに、端子係止部品６０をコネクタハウジング１０内へ容易に取り付けることができる。また、コネクタ１は、３つの端子係止部品６０が、互いに異なる色で色分けされているので、端子７０についてもそれに対応した色を着色しておくことによって、端子７０を間違えることなく対応する端子収容室１１にセットすることができ、しかも、端子係止部品６０が端子挿入可能位置Ｐ１に配置され、コネクタハウジング１０の外表面１０ａから突出された端子係止部品６０の一部によって、より端子係止部品６０の色を目視し易くすることができる。しかも、コネクタ１は、コネクタハウジング１０にセットされる端子係止部品６０を別の色の端子係止部品６０に容易に交換することができるので、仕様に応じた複数の異なる色の端子係止部品６０に容易に変更することができる。
【００８０】
また、本発明の実施例に係るコネクタ１は、一対の係止段部４１、４１が、端子係止部品６０が部品挿入口４０ａ側に移動されて一対の係止突起６５、６５が突き当てられるので、端子係止部品６０を端子挿入可能位置Ｐ１に容易に移動配置することができる。
【００８１】
また、本発明の実施例に係るコネクタ１は、端子係止部品６０が端子係止完了位置Ｐ２にある場合、板状の本体部６１に貫通するように形成された端子係止用貫通孔部６３の孔内縁面６２ａがフランジ部７２より端子収容室１１の端子挿入口３１側で端子７０の外周面７３ａに沿って嵌め込まれるので、端子７０が端子係止部品６０によって回転可能に係止される。また、端子係止部品６０が端子７０の外周面に沿った広い部分で端子７０を係止することができるので、端子係止部品６０の係止部分の剛性を高めて端子７０を係止することができる。
【００８２】
また、本発明の実施例に係るコネクタ１は、ストッパ部６６によって、コネクタハウジング１０の端子係止部品６０を挿入する側の外表面１０ａに対して裏側の外表面１０ｂの係止部品ガイド部４０の開口４０ｂから端子係止部品６０が離脱されることを阻止することができる。
【００８３】
また、本発明の実施例に係るコネクタ１は、端子係止部品６０が、係止部品ガイド部４０にガイドされる両側面６１ａに突設され、スライド移動される際の滑り止めとして機能される一対の滑り止め突起６７、６７を有してなるので、端子係止部品６０を係止部品ガイド部４０内でスライド移動させる際に滑り過ぎずに適当な摩擦抵抗が得られるように設定することができる。
（変形例）
【００８４】
次に、図１１を用いて、本発明の実施例に示した端子係止部品６０の変形例について説明する。
図１１は、変形例の端子係止部品８０の正面図である。
この変形例の端子係止部品８０は、端子挿通用貫通孔部８２と端子係止用貫通孔部８３とを合わせた孔がだるま形状でない点で、実施例の端子係止部品６０と異なる。
なお、その他の構成は実施例の端子係止部品６０と同様であり、同一構成部分には同一符号を付しその説明を省略している。
【００８５】
端子係止部品８０は、端子挿通用貫通孔部８２と端子係止用貫通孔部８３とは、互いの開口幅Ｄ１、Ｄ２を変化させることによって、端子係止部品６０と同様に端子７０を係止し、あるいは、係止解除できるようになっている。
なお、この変形例の端子係止部品８０は、端子挿通用貫通孔部８２が形成された部分の端部が開いた端子挿通用貫通孔部８２によって開口８０ａが形成されている。
【００８６】
なお、本発明の実施例に係るコネクタ１は、３つの端子収容室１１を有するものを例示したが、これに限らず、一または複数の端子収容室１１を有していればよく、係止部品ガイド部４０および端子係止部品６０は、端子収容室１１に対応した数で設ければよい。
【００８７】
また、本発明の実施例に係るコネクタ１は、複数の端子係止部品６０が異なる色で色分けされているものを例示したが、これに限らず、例えば、複数の端子係止部品６０は全て同色であってもよい。
【００８８】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００８９】
１              コネクタ
１０            コネクタハウジング
１０ａ、１０ｂ  外表面
１１            端子収容室
１１ａ          突き当て壁
１１ａａ        貫通孔
２０            コネクタ嵌合部
２１            筒状隔壁
３０            端子収容本体部
３１            端子挿入口
３２            突き当て凹部
３２ａ          底面
４０            係止部品ガイド部
４０ａ          部品挿入口
４０ｂ          開口
４１            係止段部
４２            ガイド面
５０            嵌合ロック部
５１            弾性ロック片部
５１ａ          弾性片部
５１ｂ          ロック突起部
５１ｂｂ        テーパ面
５２            ロック保護壁部
６０、８０      端子係止部品
６１            本体部
６１ａ          側面
６１ｂ、６１ｃ  端面
６２、８２      端子挿通用貫通孔部
６２ａ          孔内縁面
６３、８３      端子係止用貫通孔部
６３ａ          孔内縁面
６４            撓み空間
６５            係止突起
６５ａ          テーパ面
６６            ストッパ部
６７            滑り止め突起
７０            端子
７１            相手端子接続部（接続部分）
７２            フランジ部
７２ａ          外周面
７３ａ          外周面
８０ａ          開口
１００          相手コネクタ
１００ａ        嵌合口
１００ｂ        ロック孔
１１０          相手端子
Ｗ              電線
Ｐ１            端子挿入可能位置
Ｐ２            端子係止完了位置
【図１】
2018206518.tif 000003
【図２】
2018206518.tif 000004
【図３】
2018206518.tif 000005
【図４】
2018206518.tif 000006
【図５】
2018206518.tif 000007
【図６】
2018206518.tif 000008
【図７】
2018206518.tif 000009
【図８】
2018206518.tif 000010
【図９】
2018206518.tif 000011
【図１０】
2018206518.tif 000012
【図１１】
2018206518.tif 000013